(57)【要約】      （修正有）【課題】パネルユニットの位置決めおよび固定を容易にする。【解決手段】上部パネルユニットの下部連結ピース７０に、室内外方向に所定の幅をもって下端縁から切欠された切欠部がそれぞれ形成され、下部パネルユニットの上部連結ピース７１に、少なくとも上部がパネルユニットの面方向に張り出している張出部分と、該張出部分の上端面よりも上方に突出する係止部と、が形成された連結ブラケット８００がそれぞれ固定され、前記連結ブラケット８００は、前記切欠部の切欠幅より若干小さい室内外方向の厚みを有し、前記連結ブラケット８００の張出部分と前記係止部との間に、前記上部パネルユニットの前記切欠部を位置させた状態で、前記上部パネルユニットと下部パネルユニットとが連結され、前記パネルユニットのスライドを制限する状態で、前記上部パネルユニットおよび下部パネルユニットは、躯体に対して固定されている【選択図】図１５
2004339930.tif 000002
【特許請求の範囲】
【請求項１】
四周の窓枠内にパネルが固定されて一体化されたパネルユニットを高さ方向に連結する装置であって、
上部パネルユニットの両縦枠の室内側の下部にあって；その縦枠自体またはこれと一体化された下部連結ピースに、室内外方向に所定の幅をもって下端縁から切欠された切欠部がそれぞれ形成され、
下部パネルユニットの両縦枠の室内側の上部にあって；その縦枠自体またはこれと一体化された上部連結ピースに、少なくとも上部がパネルユニットの面方向に張り出している張出部分と、該張出部分の上端面よりも上方に突出する係止部と、が形成された連結ブラケットがそれぞれ固定され、
前記連結ブラケットは、前記切欠部の切欠幅より若干小さい室内外方向の厚みを有し、
前記上部パネルユニットの前記切欠部が、下部パネルユニットの前記連結ブラケットの上部に対して嵌合され、前記連結ブラケットの張出部分と前記係止部との間に、前記上部パネルユニットの前記切欠部を位置させた状態で、前記上部パネルユニットと下部パネルユニットとが連結され、
前記連結ブラケットの係止部が、前記切欠部を構成する壁と離間し対向し、前記パネルユニットのスライドを制限する状態で、前記上部パネルユニットおよび下部パネルユニットは、躯体に対して固定されている、
ことを特徴とするパネルユニットの連結装置。
【発明の詳細な説明】
【技術分野】
【０００１】
本発明は、パネルユニットの連結装置に関する。
【背景技術】
【０００２】
カーテンウォールを構築するに際して、四周の窓枠内にパネルを固定して一体化したパネルユニットを躯体に対して固定する場合、縦枠に予めブラケットを固定しておき、パネルユニットをクレーンなどにより吊持し、位置決めを図った後、そのブラケットを、予め躯体側に固定した取付金具に対して固定して、パネルユニットを躯体に対して固定する方式が行われている（例えば、特許文献１参照）。
【特許文献１】実開昭６１−１８４００９号（４頁乃至９頁、図１、図２）
【発明の開示】
【発明が解決しようとする課題】
【０００３】
しかし、この方式では、パネルユニットを吊持状態しながら、ブラケットと前記取付金具との取り合いを図りながら位置決めを行う必要があり、位置決めおよび固定に著しく手間がかかる。
【０００４】
他方、カーテンウォールにおいては、地震などによる層間変位がある場合、パネルユニットのスライド移動をある程度許容し、過度の移動に対しては、回転（ロッキング）が生じるようにする手段が設けられる。この場合、パネルユニットのスライド限において、躯体に固定した阻止金具に、パネルユニットに設けた金具を係止するように構成する態様が一般的である。
【０００５】
したがって、本発明の主たる課題は、パネルユニットの位置決めおよび固定を容易化することにある。他の課題は、層間変位に対応できる構造とすることにある。
【課題を解決するための手段】
【０００６】
上記課題を解決した本発明の請求項１記載の発明は、四周の窓枠内にパネルが固定されて一体化されたパネルユニットを高さ方向に連結する装置であって、  上部パネルユニットの両縦枠の室内側の下部にあって；その縦枠自体またはこれと一体化された下部連結ピースに、室内外方向に所定の幅をもって下端縁から切欠された切欠部がそれぞれ形成され、下部パネルユニットの両縦枠の室内側の上部にあって；その縦枠自体またはこれと一体化された上部連結ピースに、少なくとも上部がパネルユニットの面方向に張り出している張出部分と、該張出部分の上端面よりも上方に突出する係止部と、が形成された連結ブラケットがそれぞれ固定され、前記連結ブラケットは、前記切欠部の切欠幅より若干小さい室内外方向の厚みを有し、前記上部パネルユニットの前記切欠部が、下部パネルユニットの前記連結ブラケットの上部に対して嵌合され、前記連結ブラケットの張出部分と前記係止部との間に、前記上部パネルユニットの前記切欠部を位置させた状態で、前記上部パネルユニットと下部パネルユニットとが連結され、前記連結ブラケットの係止部が、前記切欠部を構成する壁と離間し対向し、前記パネルユニットのスライドを制限する状態で、前記上部パネルユニットおよび下部パネルユニットは、躯体に対して固定されている、ことを特徴とするパネルユニットの連結装置である。
【０００７】
なお、本発明の請求項１記載の発明の前提として、以下の実施の態様も提案できる。
第１の実施の態様は、四周の窓枠内にパネルが固定されて一体化されたパネルユニットを高さ方向に連結する装置であって、上部パネルユニットの両縦枠の室内側の下部にあって；その縦枠自体またはこれと一体化された連結ピースに、室内外方向に所定の幅をもって下端縁から切欠された切欠部がそれぞれ形成され、  下部パネルユニットの両縦枠の室内側の上部にあって；少なくとも上部がパネルユニットの面方向に延び、その室内外方向の厚みが前記切欠部の切欠幅より若干小さい連結ブラケットがそれぞれ固定され、前記上部パネルユニットの前記切欠部が、下部パネルユニットの前記連結ブラケットの上部に対して嵌合し、前記上部パネルユニットと下部パネルユニットとが連結され、前記上部パネルユニットおよび下部パネルユニットは、躯体に対して固定されている、ことを特徴とするパネルユニットの連結装置である。
【０００８】
第２の実施の態様は、連結ブラケット上部に、前記切欠部を構成する壁と離間して対向するスライド制限部が形成されている第１の実施の態様のパネルユニットの連結装置である。
【発明の効果】
【０００９】
本発明によれば、パネルユニットの位置決めおよび固定が容易となるなどの利点がもたらされる。
【発明を実施するための最良の形態】
【００１０】
以下本発明を図面に示す、パネルがガラス板である実施の形態を参照しながらさらに詳説する。パネルとして、無機質板、金属板などの適宜の板状体を用いることができる。
【００１１】
具体的な説明に入る前に、以下の実施の形態の背景について説明すると、建築物の外壁を構成するカーテンウォールについての最近の傾向として、ガラス板などのパネルを保持する窓枠を極力露出させず、窓全体があたかもパネル群のみで構成されている意匠的外観を呈するように構築することが好まれている。
【００１２】
かかる要請に基づくものとして、たとえばガラスをその四周において、窓枠に接着剤を用いて固定するものがある。
【００１３】
しかしながら、この場合には、ガラスの保持を確実にするために特別な固定手段が必要となり、施工または工場における組み立てにおいて多大な手間を要する。なお、この一つの例外を除いて、カーテンウォールにおいては、ガラスを窓枠に固定するには、対向する窓枠の室外側における離間間隔を、ガラスの対応する長さより小さくしておき、いわゆるケンドン方式またはやり越し方式により、窓枠に嵌め込み、グレージングチャンネルにより固定するのが一般的である。
【００１４】
そこで、前記の意匠的外観の要請に十分に対応できるとともに、パネル保持の安定性に優れ、しかも、パネルの取付がきわめて容易である窓におけるパネルの固定装置および窓用パネルユニットが必要となる。
【００１５】
このために、実施の形態においては、上下左右の窓枠にパネルが固定された構造にあって、前記窓枠の対向する少なくとも一方の枠材間の室外側における離間間隔が、パネルの対応する長さより大きく形成され、前記パネルの四周が、前記窓枠の室外側においてグレージングガスケットを介して固定されているものである。
【００１６】
（全体構造について）
図１〜図８は代表的な実施の形態を示したもので、図１はパネルユニットＰＵの概要正面図であり、その要部の形態が断面で図２〜図４に示されている。
【００１７】
パネルユニットＰＵは、横断面形状で同一の上下枠材１０，２０および左右枠材３０，４０で枠組みされる窓枠の中間に、ガラスに対して窓枠を構成する中桟枠材５０を有し、この中桟枠５０を堺にして上下ガラスＧ１，Ｇ２が嵌め込まれ、一つのユニットとして構成したものである。
【００１８】
また、窓枠の対向する少なくとも一方の枠材間の室外側における離間間隔が、ガラスＧ１，Ｇ２の対応する長さより大きく形成され、そのガラスＧ１，Ｇ２パネルの四周が、窓枠の室外側においてグレージングガスケット６０を介して固定されているものである。
【００１９】
具体的には、窓枠の対向する両方の枠材間、すなわちガラスＧ１については、上枠材１０と中桟枠材５０間、および左右枠材３０，４０間、ガラスＧ２については、中桟枠材５０と下枠材２０との間、および左右枠材３０，４０との間のそれぞれの室外側における各離間間隔Ｄが、ガラスＧ１，Ｇ２の対応する長さＨ，Ｗよりそれぞれ大きく形成されている。
【００２０】
この条件下で、上下枠材１０，２０、左右枠材３０，４０および中桟枠材５０の中間壁部に室外側に開口する係止溝６２に係止された背面固定材６３に、ガラスＧ１，Ｇ２の周囲背面が保持された状態で、そのガラスＧ１，Ｇ２の室外側にグレージングガスケット６０を配置し、上下枠材１０，２０、左右枠材３０，４０および中桟枠材５０の室外側において窓枠内方に開口して形成された係止溝６１に、グレージングガスケット６０の四周を係止して、各ガラスＧ１，Ｇ２の室外面を押さえて、各ガラスＧ１，Ｇ２を窓枠に固定するものである。
【００２１】
ここで、背面固定材６３としては、ＥＰＤＭ（エチレン・プロピレンダイマーゴム）、シリコーンゴムなどを用いることができる。グレージングガスケットとしては、ＥＰＤＭ（エチレン・プロピレンダイマーゴム）、シリコーンゴム、クロロプレンゴム、サントプレーンゴムなどを用いることができる。
【００２２】
前記パネルユニットＰＵは、たとえば工場にて予めユニット化され、現場に搬入され、図示しない方立に適宜の固定部材により固定される。ここに、パネルユニットＰＵのユニット化に際しては、上下枠材１０，２０および左右枠材３０，４０は、図６、図８および図１１に示すように、コーナー部を留め切りし、たとえば周囲が囲まれた中空溝６４にＬ字状のコーナーブロック６５の両端部を挿入し、枠材をコーナーブロック６５の突起間においてカシメて固定することにより連結できる。
【００２３】
次に、本発明の前提となるパネルユニットＰＵ固定構造について主に図２〜図５を参照しながら説明する。
【００２４】
すなわち、隣接するパネルユニットＰＵ，ＰＵのそれぞれ右方枠材４０，左方枠材３０のリップ溝形空間内にそれぞれ、下部に下部連結ピース７０を、上部に上部連結ピース７１を配置し、下部連結ピース７０は対応する枠材４０，３０にビス７２により固定し、上部連結ピース７１は連結ブラケット８０を固定ボルト８１，８１を用いて枠材４０，３０と一体化させてある。
【００２５】
連結ブラケット８０には、その下部に固定ボルト８１の螺合孔８０Ａ，８０Ａが上下に２つ形成され、上部は窓枠内方に張り出しており、パネルユニットＰＵをクレーンにより吊持してセットするために用いる吊持孔８０Ｂが厚み方向に形成され、さらに張出部分の上端面近傍の両側に、スライド制限部を構成する係止爪８０Ｃ，８０Ｃが突出して形成されている。
【００２６】
連結ブラケット８０は、固定ボルト８１の足が枠材４０または３０の挿通孔、ならびに上部連結ピース７１の挿通孔に挿通された後、螺合孔８０Ａに螺入されることで、枠材４０または３０と一体化させてある。
【００２７】
一方、連結ブラケット８０に張出部分を形成してある関係で、上部連結ピース７１の上部、下部連結ピース７０の下部には、連結ブラケット８０の厚みより若干大きい幅でそれぞれ切欠部７１ａ，７０ａが形成されている。切欠部７０ａの切欠幅は、係止爪８０Ｃ，８０Ｃ間を繋ぐ長さより短い。
【００２８】
続いて、隣接するパネルユニットＰＵ，ＰＵ間の気水密構造について、図６および図７も参照しながら説明する。
【００２９】
すなわち、上枠材１０の上面の室外側には水平方向に延在する上レインバリヤー９０が係止固定され、その室内側舌片は下枠材２０の下面に接して連結するようにしてある。下枠材２０の下面の室外側には水平方向に延在する下レインバリヤー９１が係止固定され、その室内側舌片は上レインバリヤー９０の上面に接する連結するようにしてある。さらに、上枠材１０の上面の室内側には水平方向に延在する上タイト材９２が係止固定され、下枠材２０の上面の室内側には水平方向に延在する下タイト材９３が係止固定され、これら上下タイト材９２，９３は相互に弾圧接触して気水密を図るようにしてある。
【００３０】
また、縦方向（左右）については、レインバリヤーの断面形状が若干異なるものの、同様に、左レインバリヤー９４、右レインバリヤー９５、左タイト材９６、および右タイト材９７により気水密を図るようにしてある。ここで、前記各タイト材は環状のガスケットにより形成することも可能である。
【００３１】
かくして、気水密については、室外側および室内側の両者において二重シール（レインバリヤー）構造とされ、シールまたは雨水の阻止の確実性が確保されている。また、シールを図る場合、周知のように従来から、等圧空間を形成するのが好適であるとされている。
【００３２】
また実施の形態においては、図６に示すように、パネルユニットが縦横に交差する交差点部分については、部材が混み合い、雨水の直接吹込みの可能性があるために、下枠材２０に係止固定する下レインバリヤー９１について、交差点近傍部分は上レインバリヤー９０に接触するようにし、この交差点近傍部分を除く中間部分全体において、下レインバリヤー９１の下縁部を切欠９１ａしておき上レインバリヤー９０に接触しないように形成する。なお、交差点近傍部分において、下レインバリヤー９１の上レインバリヤー９０への接触の態様に代えて、成形ブロックなどの適宜の封止部品を設けて雨水の侵入を防止することも可能である。
【００３３】
この形態によると、下レインバリヤー９１と上レインバリヤー９０とで、さらに左レインバリヤー９４と右レインバリヤー９５とが室内外方向に区切られ、これらが４周において連通する空間が等圧空間とされ、雨水が上レインバリヤー９０および左レインバリヤー９４を越えて侵入することを防止できる。なお、万一、侵入した雨水は上下タイト材９２，９３間、あるいは左右タイト材９６，９７間で阻止される。
【００３４】
上記の実施の形態によれば、ガラスＧ１については、上枠材１０と中桟枠材５０間、および左右枠材３０，４０間、ガラスＧ２については、中桟枠材５０と下枠材２０と間、および左右枠材３０，４０間のそれぞれの室外側における各離間間隔Ｄが、ガラスＧ１，Ｇ２の対応する長さＨ，Ｗよりそれぞれ大きく形成されている。
【００３５】
その結果、各窓枠を構成する枠材１０、２０、３０、４０、５０の室外側の外部に露出する縁面の幅をきわめて小さくできる。したがって、窓全体としてみれば、あたかもガラス群のみで構成されている意匠的外観を呈する。その結果、興趣が増す外壁を構築することができる。
【００３６】
しかも、ガラスの固定に際しては、グレージングガスケット６０を用いて簡単に窓枠に固定でき、接着剤による背面固定方向と比較して、格段に組み立て性または施工性に優れたものとなる。さらに、接着剤の劣化に伴う危険性から解放されて、成形品であるグレージングガスケット６０を用いるので、ガラス固定がきわめて安定したものとなる。
【００３７】
パネルユニットＰＵは、たとえば工場にて予めユニット化され、現場にて搬入されて、たとえばブラケット２および取付金具３を介して、躯体４に固定される。
【００３８】
この作業例を説明すると、下方のパネルユニットＰＵの上部に、連結ブラケット８０を、固定ボルト８１を用いて上部連結ピース７１、ならびに枠材４０および３０と一体化させておく。また、下方のパネルユニットＰＵには、その枠材４０および３０の中間において、図９および図１０に示すように、横断面Ｌ字状ブラケット２がボルト５により固定される。他方、躯体４にアンカー６が埋設され、ボルト７により取付金具３が固定される。この取付金具３の他片と、前記ブラケット２の他片とが、取付ボルト８により連結され、結果として下方のパネルユニットＰＵが躯体４に対して固定される。
【００３９】
これに対して、上方のパネルユニットＰＵについては、予め、枠材４０および３０の下部に下部連結ピース７０をビス７２により固定しておく。この上方のパネルユニットＰＵを、これに固定した連結ブラケット８０の吊持孔８０Ｂを介してクレーンにより吊り上げ、下方のパネルユニットＰＵの連結ブラケット８０上に乗せてセットする。このとき、切欠部７０ａが上部連結ピース７１と嵌合するので、室内外方向の位置決めされた状態でセットできる。したがって、きわめてセットが簡易なものとなる。
【００４０】
一方、地震などでパネルユニットＰＵが層間変位し、枠材４０または３０と連結ブラケット８０との相対位置関係が崩れると、相対的に、枠材４０または３０が連結ブラケット８０をガイドとしてスライド移動するために、その層間変位を許容できる。
【００４１】
このスライド移動の制限は、枠材４０または３０が、連結ブラケット８０の張出部分の上端面近傍の両側に突出して形成された係止爪８０Ｃ，８０Ｃに衝突することにより行われる。その結果、パネルユニットＰＵに回転モーメントが作用するが、パネルユニットＰＵの面内で変形してそれを吸収しパネルユニットＰＵの崩壊を防止する。
【００４２】
かくして、従来例とは異なり、上方のパネルユニットＰＵと下方のパネルユニットＰＵと連結する連結ブラケット８０が、層間変位を許容するスライドガイド手段を構成するとともに、ロッキング手段をも構成することとなり、別途、そのための手段が不要となる。また、連結ブラケット８０は、これに吊持孔８０Ｂなどの引っ掛かり部を形成することで、クレーンなどによる吊持手段を構成することができる点で、きわめて合理的なものとなる。
【００４３】
（本発明の実施の形態）
以下に、本発明の実施の形態を図１２〜図１５に基づき説明する。
【００４４】
これは、前述の実施の形態に対して、主に、パネルユニットＰＵ相互を上下に連結する場合における連結ブラケットの形態を異なせたものであるとともに、前述の実施の形態における構造をより明確にしたものである。
【００４５】
すなわち、図１３および図１４に示すように、下方のパネルユニットＰＵの上部に、連結ブラケット８００を、固定ボルト８１を用いて上部連結ピース７１を介してそれぞれ枠材４０または３０と一体化させておく。
【００４６】
これに対して、図１２に示すように、上方のパネルユニットＰＵについては、予め、枠材４０または３０の下部に下部連結ピース７０をビス７２により固定しておく。この上方のパネルユニットＰＵを、これに固定した連結ブラケット８００の適宜の部分を介してクレーンなどにより吊り上げ、下方のパネルユニットＰＵの連結ブラケット８００上に乗せて、図１５に示すようにセットする。このとき、切欠部７０ａが上部連結ピース７１と嵌合するので、室内外方向の位置決めされた状態でセットできる。
【００４７】
一方、地震などでパネルユニットＰＵが層間変位し、枠材４０または３０と連結ブラケット８００との相対位置関係が崩れると、相対的に、枠材４０または３０が連結ブラケット８００をガイドとしてスライド移動するために、その層間変位を許容できる。このスライド移動の制限は、枠材４０または３０が、連結ブラケット８００の上面に形成された係止部８００Ｃ（本発明のスライド制限部を構成する）に衝突することにより行われる。その結果、パネルユニットＰＵに回転モーメントが作用するが、パネルユニットＰＵの面内で変形してそれを吸収しパネルユニットＰＵの崩壊を防止する。
【００４８】
（その他）
上記の実施の形態において、上部連結ピース７０を省略して、直接、縦枠材４０または３０に連結ブラケットを固定してもよい。また、下部連結ピース７１を省略して、切欠部を上部パネルユニットＰＵの縦枠材４０または３０自体に形成して、その切欠部を連結ブラケットと嵌合することができる。パネルユニットＰＵは中桟を有するほか、一つのパネルを保持するものでもよい。
【図面の簡単な説明】
【００４９】
【図１】第１の実施の形態に係るパネルユニットの概要正面図である。
【図２】図１の（２）−（２）線矢視図である。
【図３】図１の（３）−（３）線矢視図である。
【図４】図１の（４）−（４）線矢視図である。
【図５】連結ブラケットの正面図である。
【図６】パネルユニットの交差部の正面図である。
【図７】中桟部におけるパネルユニット間の正面図である。
【図８】枠材の連結例の縦断面図である。
【図９】パネルユニットの躯体への固定構造例を示す平面図である。
【図１０】パネルユニットの躯体への固定構造例を示す縦断面である。
【図１１】パネルユニットのコーナー部の分解斜視図である。
【図１２】本発明の実施の形態における上方パネルユニットの下部を示す斜視図である。
【図１３】本発明の実施の形態における下方パネルユニットの上部を示す斜視図である。
【図１４】本発明の実施の形態における下方パネルユニットの上部を示す斜視図である。
【図１５】本発明の実施の形態における組み立て状態を示す斜視図である。
【符号の説明】
【００５０】
２…ブラケット、３…取付金具、４…躯体、６…アンカー、８…取付ボルト、１０…上枠材、２０…下枠材、３０…左枠材、４０…右枠材、５０…中桟材、６０…グレージングガスケット。
【図１】
2004339930.tif 000003
【図２】
2004339930.tif 000004
【図３】
2004339930.tif 000005
【図４】
2004339930.tif 000006
【図５】
2004339930.tif 000007
【図６】
2004339930.tif 000008
【図７】
2004339930.tif 000009
【図８】
2004339930.tif 000010
【図９】
2004339930.tif 000011
【図１０】
2004339930.tif 000012
【図１１】
2004339930.tif 000013
【図１２】
2004339930.tif 000014
【図１３】
2004339930.tif 000015
【図１４】
2004339930.tif 000016
【図１５】
2004339930.tif 000017
【手続補正書】
【提出日】平成16年7月6日(2004.7.6)
【手続補正１】
【補正対象書類名】特許請求の範囲
【補正対象項目名】全文
【補正方法】変更
【補正の内容】
【特許請求の範囲】
【請求項１】
四周の窓枠内にパネルが固定されて一体化されたパネルユニットを高さ方向に連結する装置であって、  上部パネルユニットの両縦枠の室内側の下部にあって；その縦枠自体またはこれと一体化された下部連結ピースに、室内外方向に所定の幅をもって下端縁から切欠された切欠部がそれぞれ形成され、  下部パネルユニットの両縦枠の室内側の上部にあって；その縦枠自体またはこれと一体化された上部連結ピースに、少なくとも上部がパネルユニットの面方向に張り出している張出部分と、該張出部分の上端面よりも上方に突出する係止部と、が形成された連結ブラケットがそれぞれ固定され、  前記連結ブラケットは、前記切欠部の切欠幅より若干小さい室内外方向の厚みを有し、  前記上部パネルユニットの前記切欠部が、下部パネルユニットの前記連結ブラケットの上部に対して嵌合され、前記連結ブラケットの張出部分と前記係止部との間に、前記上部パネルユニットの前記切欠部を位置させた状態で、前記上部パネルユニットと下部パネルユニットとが連結され、  前記連結ブラケットの係止部が、前記切欠部を構成する壁と離間し対向し、前記パネルユニットのスライドを制限する状態で、前記上部パネルユニットおよび下部パネルユニットは、躯体に対して固定されている、  ことを特徴とするパネルユニットの連結装置。
【手続補正２】
【補正対象書類名】明細書
【補正対象項目名】全文
【補正方法】変更
【補正の内容】
【発明の詳細な説明】
【技術分野】
【０００１】  本発明は、パネルユニットの連結装置に関する。
【背景技術】
【０００２】  カーテンウォールを構築するに際して、四周の窓枠内にパネルを固定して一体化したパネルユニットを躯体に対して固定する場合、縦枠に予めブラケットを固定しておき、パネルユニットをクレーンなどにより吊持し、位置決めを図った後、そのブラケットを、予め躯体側に固定した取付金具に対して固定して、パネルユニットを躯体に対して固定する方式が行われている（例えば、特許文献１参照）。【特許文献１】実開昭６１−１８４００９号（４頁乃至９頁、図１、図２）
【発明の開示】
【発明が解決しようとする課題】
【０００３】  しかし、この方式では、パネルユニットを吊持状態しながら、ブラケットと前記取付金具との取り合いを図りながら位置決めを行う必要があり、位置決めおよび固定に著しく手間がかかる。【０００４】  他方、カーテンウォールにおいては、地震などによる層間変位がある場合、パネルユニットのスライド移動をある程度許容し、過度の移動に対しては、回転（ロッキング）が生じるようにする手段が設けられる。この場合、パネルユニットのスライド限において、躯体に固定した阻止金具に、パネルユニットに設けた金具を係止するように構成する態様が一般的である。【０００５】  したがって、本発明の主たる課題は、パネルユニットの位置決めおよび固定を容易化することにある。他の課題は、層間変位に対応できる構造とすることにある。
【課題を解決するための手段】
【０００６】  上記課題を解決した本発明の請求項１記載の発明は、四周の窓枠内にパネルが固定されて一体化されたパネルユニットを高さ方向に連結する装置であって、  上部パネルユニットの両縦枠の室内側の下部にあって；その縦枠自体またはこれと一体化された下部連結ピースに、室内外方向に所定の幅をもって下端縁から切欠された切欠部がそれぞれ形成され、下部パネルユニットの両縦枠の室内側の上部にあって；その縦枠自体またはこれと一体化された上部連結ピースに、少なくとも上部がパネルユニットの面方向に張り出している張出部分と、該張出部分の上端面よりも上方に突出する係止部と、が形成された連結ブラケットがそれぞれ固定され、前記連結ブラケットは、前記切欠部の切欠幅より若干小さい室内外方向の厚みを有し、前記上部パネルユニットの前記切欠部が、下部パネルユニットの前記連結ブラケットの上部に対して嵌合され、前記連結ブラケットの張出部分と前記係止部との間に、前記上部パネルユニットの前記切欠部を位置させた状態で、前記上部パネルユニットと下部パネルユニットとが連結され、前記連結ブラケットの係止部が、前記切欠部を構成する壁と離間し対向し、前記パネルユニットのスライドを制限する状態で、前記上部パネルユニットおよび下部パネルユニットは、躯体に対して固定されている、ことを特徴とするパネルユニットの連結装置である。【０００７】  なお、本発明の請求項１記載の発明の前提として、以下の実施の態様も提案できる。  第１の実施の態様は、四周の窓枠内にパネルが固定されて一体化されたパネルユニットを高さ方向に連結する装置であって、上部パネルユニットの両縦枠の室内側の下部にあって；その縦枠自体またはこれと一体化された連結ピースに、室内外方向に所定の幅をもって下端縁から切欠された切欠部がそれぞれ形成され、  下部パネルユニットの両縦枠の室内側の上部にあって；少なくとも上部がパネルユニットの面方向に延び、その室内外方向の厚みが前記切欠部の切欠幅より若干小さい連結ブラケットがそれぞれ固定され、前記上部パネルユニットの前記切欠部が、下部パネルユニットの前記連結ブラケットの上部に対して嵌合し、前記上部パネルユニットと下部パネルユニットとが連結され、前記上部パネルユニットおよび下部パネルユニットは、躯体に対して固定されている、ことを特徴とするパネルユニットの連結装置である。【０００８】  第２の実施の態様は、連結ブラケット上部に、前記切欠部を構成する壁と離間して対向するスライド制限部が形成されている第１の実施の態様のパネルユニットの連結装置である。
【発明の効果】
【０００９】  本発明によれば、パネルユニットの位置決めおよび固定が容易となるなどの利点がもたらされる。
【発明を実施するための最良の形態】
【００１０】  以下本発明を図面に示す、パネルがガラス板である実施の形態を参照しながらさらに詳説する。パネルとして、無機質板、金属板などの適宜の板状体を用いることができる。【００１１】  具体的な説明に入る前に、以下の実施の形態の背景について説明すると、建築物の外壁を構成するカーテンウォールについての最近の傾向として、ガラス板などのパネルを保持する窓枠を極力露出させず、窓全体があたかもパネル群のみで構成されている意匠的外観を呈するように構築することが好まれている。【００１２】  かかる要請に基づくものとして、たとえばガラスをその四周において、窓枠に接着剤を用いて固定するものがある。【００１３】  しかしながら、この場合には、ガラスの保持を確実にするために特別な固定手段が必要となり、施工または工場における組み立てにおいて多大な手間を要する。なお、この一つの例外を除いて、カーテンウォールにおいては、ガラスを窓枠に固定するには、対向する窓枠の室外側における離間間隔を、ガラスの対応する長さより小さくしておき、いわゆるケンドン方式またはやり越し方式により、窓枠に嵌め込み、グレージングチャンネルにより固定するのが一般的である。【００１４】  そこで、前記の意匠的外観の要請に十分に対応できるとともに、パネル保持の安定性に優れ、しかも、パネルの取付がきわめて容易である窓におけるパネルの固定装置および窓用パネルユニットが必要となる。【００１５】  このために、実施の形態においては、上下左右の窓枠にパネルが固定された構造にあって、前記窓枠の対向する少なくとも一方の枠材間の室外側における離間間隔が、パネルの対応する長さより大きく形成され、前記パネルの四周が、前記窓枠の室外側においてグレージングガスケットを介して固定されているものである。【００１６】  （全体構造について）  図１〜図８は代表的な実施の形態を示したもので、図１はパネルユニットＰＵの概要正面図であり、その要部の形態が断面で図２〜図４に示されている。【００１７】  パネルユニットＰＵは、横断面形状で同一の上下枠材１０，２０および左右枠材３０，４０で枠組みされる窓枠の中間に、ガラスに対して窓枠を構成する中桟枠材５０を有し、この中桟枠５０を堺にして上下ガラスＧ１，Ｇ２が嵌め込まれ、一つのユニットとして構成したものである。【００１８】  また、窓枠の対向する少なくとも一方の枠材間の室外側における離間間隔が、ガラスＧ１，Ｇ２の対応する長さより大きく形成され、そのガラスＧ１，Ｇ２パネルの四周が、窓枠の室外側においてグレージングガスケット６０を介して固定されているものである。【００１９】  具体的には、窓枠の対向する両方の枠材間、すなわちガラスＧ１については、上枠材１０と中桟枠材５０間、および左右枠材３０，４０間、ガラスＧ２については、中桟枠材５０と下枠材２０との間、および左右枠材３０，４０との間のそれぞれの室外側における各離間間隔Ｄが、ガラスＧ１，Ｇ２の対応する長さＨ，Ｗよりそれぞれ大きく形成されている。【００２０】  この条件下で、上下枠材１０，２０、左右枠材３０，４０および中桟枠材５０の中間壁部に室外側に開口する係止溝６２に係止された背面固定材６３に、ガラスＧ１，Ｇ２の周囲背面が保持された状態で、そのガラスＧ１，Ｇ２の室外側にグレージングガスケット６０を配置し、上下枠材１０，２０、左右枠材３０，４０および中桟枠材５０の室外側において窓枠内方に開口して形成された係止溝６１に、グレージングガスケット６０の四周を係止して、各ガラスＧ１，Ｇ２の室外面を押さえて、各ガラスＧ１，Ｇ２を窓枠に固定するものである。【００２１】  ここで、背面固定材６３としては、ＥＰＤＭ（エチレン・プロピレンダイマーゴム）、シリコーンゴムなどを用いることができる。グレージングガスケットとしては、ＥＰＤＭ（エチレン・プロピレンダイマーゴム）、シリコーンゴム、クロロプレンゴム、サントプレーンゴムなどを用いることができる。【００２２】  前記パネルユニットＰＵは、たとえば工場にて予めユニット化され、現場に搬入され、図示しない方立に適宜の固定部材により固定される。ここに、パネルユニットＰＵのユニット化に際しては、上下枠材１０，２０および左右枠材３０，４０は、図６、図８および図１１に示すように、コーナー部を留め切りし、たとえば周囲が囲まれた中空溝６４にＬ字状のコーナーブロック６５の両端部を挿入し、枠材をコーナーブロック６５の突起間においてカシメて固定することにより連結できる。【００２３】  次に、本発明の前提となるパネルユニットＰＵ固定構造について主に図２〜図５を参照しながら説明する。【００２４】  すなわち、隣接するパネルユニットＰＵ，ＰＵのそれぞれ右方枠材４０，左方枠材３０のリップ溝形空間内にそれぞれ、下部に下部連結ピース７０を、上部に上部連結ピース７１を配置し、下部連結ピース７０は対応する枠材４０，３０にビス７２により固定し、上部連結ピース７１は連結ブラケット８０を固定ボルト８１，８１を用いて枠材４０，３０と一体化させてある。【００２５】  連結ブラケット８０には、その下部に固定ボルト８１の螺合孔８０Ａ，８０Ａが上下に２つ形成され、上部は窓枠内方に張り出しており、パネルユニットＰＵをクレーンにより吊持してセットするために用いる吊持孔８０Ｂが厚み方向に形成され、さらに張出部分の上端面近傍の両側に、スライド制限部を構成する係止爪８０Ｃ，８０Ｃが突出して形成されている。【００２６】  連結ブラケット８０は、固定ボルト８１の足が枠材４０または３０の挿通孔、ならびに上部連結ピース７１の挿通孔に挿通された後、螺合孔８０Ａに螺入されることで、枠材４０または３０と一体化させてある。【００２７】  一方、連結ブラケット８０に張出部分を形成してある関係で、上部連結ピース７１の上部、下部連結ピース７０の下部には、連結ブラケット８０の厚みより若干大きい幅でそれぞれ切欠部７１ａ，７０ａが形成されている。切欠部７０ａの切欠幅は、係止爪８０Ｃ，８０Ｃ間を繋ぐ長さより短い。【００２８】  続いて、隣接するパネルユニットＰＵ，ＰＵ間の気水密構造について、図６および図７も参照しながら説明する。【００２９】  すなわち、上枠材１０の上面の室外側には水平方向に延在する上レインバリヤー９０が係止固定され、その室内側舌片は下枠材２０の下面に接して連結するようにしてある。下枠材２０の下面の室外側には水平方向に延在する下レインバリヤー９１が係止固定され、その室内側舌片は上レインバリヤー９０の上面に接する連結するようにしてある。さらに、上枠材１０の上面の室内側には水平方向に延在する上タイト材９２が係止固定され、下枠材２０の上面の室内側には水平方向に延在する下タイト材９３が係止固定され、これら上下タイト材９２，９３は相互に弾圧接触して気水密を図るようにしてある。【００３０】  また、縦方向（左右）については、レインバリヤーの断面形状が若干異なるものの、同様に、左レインバリヤー９４、右レインバリヤー９５、左タイト材９６、および右タイト材９７により気水密を図るようにしてある。ここで、前記各タイト材は環状のガスケットにより形成することも可能である。【００３１】  かくして、気水密については、室外側および室内側の両者において二重シール（レインバリヤー）構造とされ、シールまたは雨水の阻止の確実性が確保されている。また、シールを図る場合、周知のように従来から、等圧空間を形成するのが好適であるとされている。【００３２】  また実施の形態においては、図６に示すように、パネルユニットが縦横に交差する交差点部分については、部材が混み合い、雨水の直接吹込みの可能性があるために、下枠材２０に係止固定する下レインバリヤー９１について、交差点近傍部分は上レインバリヤー９０に接触するようにし、この交差点近傍部分を除く中間部分全体において、下レインバリヤー９１の下縁部を切欠９１ａしておき上レインバリヤー９０に接触しないように形成する。なお、交差点近傍部分において、下レインバリヤー９１の上レインバリヤー９０への接触の態様に代えて、成形ブロックなどの適宜の封止部品を設けて雨水の侵入を防止することも可能である。【００３３】  この形態によると、下レインバリヤー９１と上レインバリヤー９０とで、さらに左レインバリヤー９４と右レインバリヤー９５とが室内外方向に区切られ、これらが４周において連通する空間が等圧空間とされ、雨水が上レインバリヤー９０および左レインバリヤー９４を越えて侵入することを防止できる。なお、万一、侵入した雨水は上下タイト材９２，９３間、あるいは左右タイト材９６，９７間で阻止される。【００３４】  上記の実施の形態によれば、ガラスＧ１については、上枠材１０と中桟枠材５０間、および左右枠材３０，４０間、ガラスＧ２については、中桟枠材５０と下枠材２０と間、および左右枠材３０，４０間のそれぞれの室外側における各離間間隔Ｄが、ガラスＧ１，Ｇ２の対応する長さＨ，Ｗよりそれぞれ大きく形成されている。【００３５】  その結果、各窓枠を構成する枠材１０、２０、３０、４０、５０の室外側の外部に露出する縁面の幅をきわめて小さくできる。したがって、窓全体としてみれば、あたかもガラス群のみで構成されている意匠的外観を呈する。その結果、興趣が増す外壁を構築することができる。【００３６】  しかも、ガラスの固定に際しては、グレージングガスケット６０を用いて簡単に窓枠に固定でき、接着剤による背面固定方向と比較して、格段に組み立て性または施工性に優れたものとなる。さらに、接着剤の劣化に伴う危険性から解放されて、成形品であるグレージングガスケット６０を用いるので、ガラス固定がきわめて安定したものとなる。【００３７】  パネル��ニットＰＵは、たとえば工場にて予めユニット化され、現場にて搬入されて、たとえばブラケット２および取付金具３を介して、躯体４に固定される。【００３８】  この作業例を説明すると、下方のパネルユニットＰＵの上部に、連結ブラケット８０を、固定ボルト８１を用いて上部連結ピース７１、ならびに枠材４０および３０と一体化させておく。また、下方のパネルユニットＰＵには、その枠材４０および３０の中間において、図９および図１０に示すように、横断面Ｌ字状ブラケット２がボルト５により固定される。他方、躯体４にアンカー６が埋設され、ボルト７により取付金具３が固定される。この取付金具３の他片と、前記ブラケット２の他片とが、取付ボルト８により連結され、結果として下方のパネルユニットＰＵが躯体４に対して固定される。【００３９】  これに対して、上方のパネルユニットＰＵについては、予め、枠材４０および３０の下部に下部連結ピース７０をビス７２により固定しておく。この上方のパネルユニットＰＵを、これに固定した連結ブラケット８０の吊持孔８０Ｂを介してクレーンにより吊り上げ、下方のパネルユニットＰＵの連結ブラケット８０上に乗せてセットする。このとき、切欠部７０ａが連結ブラケット８０と嵌合するので、室内外方向の位置決めされた状態でセットできる。したがって、きわめてセットが簡易なものとなる。【００４０】  一方、地震などでパネルユニットＰＵが層間変位し、枠材４０または３０と連結ブラケット８０との相対位置関係が崩れると、相対的に、枠材４０または３０が連結ブラケット８０をガイドとしてスライド移動するために、その層間変位を許容できる。【００４１】  このスライド移動の制限は、枠材４０または３０が、連結ブラケット８０の張出部分の上端面近傍の両側に突出して形成された係止爪８０Ｃ，８０Ｃ（図２、図３及び図５には図示せず）に衝突することにより行われる。その結果、パネルユニットＰＵに回転モーメントが作用するが、パネルユニットＰＵの面内で変形してそれを吸収しパネルユニットＰＵの崩壊を防止する。【００４２】  かくして、従来例とは異なり、上方のパネルユニットＰＵと下方のパネルユニットＰＵと連結する連結ブラケット８０が、層間変位を許容するスライドガイド手段を構成するとともに、ロッキング手段をも構成することとなり、別途、そのための手段が不要となる。また、連結ブラケット８０は、これに吊持孔８０Ｂなどの引っ掛かり部を形成することで、クレーンなどによる吊持手段を構成することができる点で、きわめて合理的なものとなる。【００４３】  （本発明の実施の形態）  以下に、本発明の実施の形態を図１２〜図１５に基づき説明する。【００４４】  これは、前述の実施の形態に対して、主に、パネルユニットＰＵ相互を上下に連結する場合における連結ブラケットの形態を異なせたものであるとともに、前述の実施の形態における構造をより明確にしたものである。【００４５】  すなわち、図１３および図１４に示すように、下方のパネルユニットＰＵの上部に、連結ブラケット８００を、固定ボルト８１を用いて上部連結ピース７１を介してそれぞれ枠材４０または３０と一体化させておく。【００４６】  これに対して、図１２に示すように、上方のパネルユニットＰＵについては、予め、枠材４０または３０の下部に下部連結ピース７０をビス７２により固定しておく。この上方のパネルユニットＰＵを、これに固定した連結ブラケット８００の適宜の部分を介してクレーンなどにより吊り上げ、下方のパネルユニットＰＵの連結ブラケット８００上に乗せて、図１５に示すようにセットする。このとき、切欠部７０ａが連結ブラケット８００と嵌合するので、室内外方向の位置決めされた状態でセットできる。【００４７】  一方、地震などでパネルユニットＰＵが層間変位し、枠材４０または３０と連結ブラケット８００との相対位置関係が崩れると、相対的に、枠材４０または３０が連結ブラケット８００をガイドとしてスライド移動するために、その層間変位を許容できる。このスライド移動の制限は、枠材４０または３０が、連結ブラケット８００の上面に形成された係止部８００Ｃ（本発明のスライド制限部を構成する）に衝突することにより行われる。その結果、パネルユニットＰＵに回転モーメントが作用するが、パネルユニットＰＵの面内で変形してそれを吸収しパネルユニットＰＵの崩壊を防止する。【００４８】  （その他）  上記の実施の形態において、上部連結ピース７０を省略して、直接、縦枠材４０または３０に連結ブラケットを固定してもよい。また、下部連結ピース７１を省略して、切欠部を上部パネルユニットＰＵの縦枠材４０または３０自体に形成して、その切欠部を連結ブラケットと嵌合することができる。パネルユニットＰＵは中桟を有するほか、一つのパネルを保持するものでもよい。
【図面の簡単な説明】
【００４９】
【図１】第１の実施の形態に係るパネルユニットの概要正面図である。
【図２】図１の（２）−（２）線矢視図である。
【図３】図１の（３）−（３）線矢視図である。
【図４】図１の（４）−（４）線矢視図である。
【図５】連結ブラケットの正面図である。
【図６】パネルユニットの交差部の正面図である。
【図７】中桟部におけるパネルユニット間の正面図である。
【図８】枠材の連結例の縦断面図である。
【図９】パネルユニットの躯体への固定構造例を示す平面図である。
【図１０】パネルユニットの躯体への固定構造例を示す縦断面である。
【図１１】パネルユニットのコーナー部の分解斜視図である。
【図１２】本発明の実施の形態における上方パネルユニットの下部を示す斜視図である。
【図１３】本発明の実施の形態における下方パネルユニットの上部を示す斜視図である。
【図１４】本発明の実施の形態における下方パネルユニットの上部を示す斜視図である。
【図１５】本発明の実施の形態における組み立て状態を示す斜視図である。
【符号の説明】
【００５０】  ２…ブラケット、３…取付金具、４…躯体、６…アンカー、８…取付ボルト、１０…上枠材、２０…下枠材、３０…左枠材、４０…右枠材、５０…中桟材、６０…グレージングガスケット。
【手続補正３】
【補正対象書類名】図面
【補正対象項目名】図２
【補正方法】変更
【補正の内容】
【図２】
2004339930.tif 000018
【手続補正４】
【補正対象書類名】図面
【補正対象項目名】図３
【補正方法】変更
【補正の内容】
【図３】
2004339930.tif 000019
【手続補正５】
【補正対象書類名】図面
【補正対象項目名】図４
【補正方法】変更
【補正の内容】
【図４】
2004339930.tif 000020
【手続補正６】
【補正対象書類名】図面
【補正対象項目名】図５
【補正方法】変更
【補正の内容】
【図５】
2004339930.tif 000021